(57)【要約】【課題】本発明は、廃棄物に関する土木構造物を施工する方法を提供することを目的とする。【解決手段】本発明は、廃棄物に関する土木構造物を施工する方法であって、廃棄物のある現場で該廃棄物をふるい分け及び/または粉砕して骨材としての廃棄物を調製する工程、該骨材と水硬性材料を混合する工程、該混合物を袋体に充填し、複数の該袋体を所定の場所に設置して土木構造物を形成する工程を包含する方法を提供する。【選択図】なし【特許請求の範囲】
【請求項１】
廃棄物に関する土木構造物を施工する方法であって、廃棄物のある現場で該廃棄物をふるい分け及び/または粉砕して骨材としての廃棄物を調製する工程、該骨材と水硬性材料を混合する工程、該混合物を袋体に充填し、複数の該袋体を所定の場所に設置して土木構造物を形成する工程を包含する方法。
【請求項２】
前記骨材と水硬性材料を混合する工程が、骨材と水硬性材料と水を混合する工程である、請求項１に記載の方法。
【請求項３】
前記袋体が変形自在な袋体である、請求項１に記載の方法。
【請求項４】
土木構造物上に、骨材と水硬性材料の混合物を充填した袋体を積み重ねる工程が後に続く、請求項１に記載の方法。
【発明の詳細な説明】
【技術分野】
【０００１】
本発明は廃棄物に関する土木構造物を施工する方法に関する。
【背景技術】
【０００２】
廃棄物を処理する方法としては、再生されるか、焼却、破砕、圧縮等減容化されるか、または埋め立てられる。
【０００３】
廃棄物はまた、骨材としてセメントとブレンドされ、リサイクル製品として使用され得る。これらは、土木構造物として、例えば、擁壁、土留め、路面、および廃棄物処理場の擁壁等として使用され得る。
【０００４】
擁壁のような土木構造物を施工する方法は、通常、（１）型枠を組み立てる工程、（２）生コンを打設する工程、（３）コンクリートを養生する工程、および（４）型枠を解体する工程からなる。しかし、この方法は、型枠を組み立てるのに手間がかかる。
【０００５】
特許第２６３７５７１号（特開平３−１１９２１３）（特許文献１）は、護岸の構築方法を開示する。
【０００６】
特許文献１の方法において、使用される袋体は、一定の形態を有し、型枠としての機能を有する。しかし、この方法で使用される袋体は、硬いものである。
【０００７】
特許第２５７９７３３号（特開平７−１２７０３０）（特許文献２）は、土木工事用土のうを開示する。この土のうは、ポルトラントセメント、塩化マグネシウム、モンモリロナイト、ジルコニア、リグニンスルホン酸ソーダの混合物を充填する。また、土のうの積み上げ後に散水して、水を含ませることを記載する。
【０００８】
特許文献２の土のうは、特別な材料を使用しているので作製にコストがかかり、材料の運搬が必要であるので効率が悪く、廃棄物を含む土木構造物には向いていない。
【特許文献１】特許第２６３７５７１号（特開平３−１１９２１３）
【特許文献２】特許第２５７９７３３号（特開平７−１２７０３０）
【発明の開示】
【発明が解決しようとする課題】
【０００９】
本発明は、上記欠点がない、廃棄物に関する土木構造物を施工する方法を提供することを目的とする。
【課題を解決するための手段】
【００１０】
本発明は、以下の項１〜４の土木構造物を施工する方法を提供する。
項１．廃棄物に関する土木構造物を施工する方法であって、廃棄物のある現場で該廃棄物をふるい分け及び/または粉砕して骨材としての廃棄物を調製する工程、該骨材と水硬性材料を混合する工程、該混合物を袋体に充填し、複数の該袋体を所定の場所に設置して土木構造物を形成する工程を包含する方法。
項２．前記骨材と水硬性材料を混合する工程が、骨材と水硬性材料と水を混合する工程である、項１に記載の方法。
項３．前記袋体が変形自在な袋体である、項１に記載の方法。
項４．土木構造物上に、骨材と水硬性材料の混合物を充填した袋体を積み重ねる工程が後に続く、項１に記載の方法。
【００１１】
本発明の施工方法は、廃棄物に関する土木構造物を施工することを特徴とする。本発明は、廃棄物のあるところで行われ、具体的には、廃棄物が不法投棄された場所、廃棄物処分場、建物の解体現場などで行われる。本願明細書において、「廃棄物のある現場」とは、上記のような廃棄物がある場所またはその周辺をいう。これらの場所は、水道がなく、水硬性材料の硬化に必要な水の入手は困難な場所でもよい。本発明の方法は、あまり強度が要求されない構造物の施工に適しているが、長期にわたり強度発現が許される土木構造物の施工にも適用できる。
【００１２】
本発明の方法は、水硬性材料の硬化が現地でなされるので、土木構造物を施工するべき現場またはその周辺で実施可能である。従って、例えばコンクリートブロックのようなすでに硬化した部材を現地に運搬し、組み立てる必要はない。本発明の方法で使用される廃棄物はまた、現地での調達が可能である。
【００１３】
本発明の１つの実施形態において、水硬性材料の硬化は、水硬性材料および骨材として使用される廃棄物を混ぜたものを充填した袋体を設置し、水分が袋体内に侵入することによって行われる。例えば、水硬性材料の硬化は、土壌および大気中の水分または雨水が袋体内に侵入することによって行われる。
【００１４】
本発明の１つの実施形態において、水硬性材料の硬化は、当業者に公知の方法に従って、水硬性材料、骨材としての廃棄物、および必要に応じて添加される水を混ぜたものを充填した袋体を設置することによって行われる。
【００１５】
本発明の１つの実施形態において、土壌および空気中の水分並びに雨水が使用されるので、水硬性材料の硬化のために添加される水はないかまたはほとんどない。
【００１６】
本発明の１つの実施形態において、水硬性材料の硬化のために水が添加されてもよい。例えば、水硬性材料の硬化のために、散水により水分を追加しても良い。また、水分を含む土壌を、水硬性材料および骨材と混合しても良い。水硬性材料の硬化は、袋体を積み重ねる毎に行っても良いし、全て積み重ねた後に行っても良い。
【００１７】
本発明の土木構造物の施工方法は、未硬化の水硬性材料を含む袋体を、お互いに接触するように、並べて配置することを特徴とする。並べて配置するのは、横に並べても良いし縦に積み重ねても良い。袋体中の水硬性物質が硬化した後に、新たな未硬化の水硬性材料を含む袋体をさらに積み重ねてもよい。未硬化の水硬性材料を含む袋体を積み重ねる工程は、必要に応じて繰り返され得る。
【００１８】
本発明の土木構造物の施工方法は、未硬化の状態の水硬性材料と廃棄物と必要に応じて水との混合物を袋体に充填して設置することを特徴とする。
【００１９】
本発明において使用される水硬性材料としては、セメントが挙げられるがこれに限定されない。このセメントはドライであるので、セメントの硬化には、土壌および空気中の水分並びに雨水が使用される。または、必要に応じて、水が添加される。
【００２０】
本発明において、骨材として廃棄物が使用される。本発明において、骨材として、廃プラスチック、廃木材、がれき類、紙くず、繊維くず、またはこれらの混合物等の産業廃棄物も同様に使用されるが、これらに限定されない。本発明において使用される廃棄物は、好ましくは、破砕機によって破砕され、所定のサイズ以下のものが使用される。所定のサイズを超える場合には、さらに破砕して小さくした後、骨材として使用される。
【００２１】
本発明において、袋体中で硬化した水硬性材料と廃棄物の混合物は、好ましくは、セメントと廃棄物の混合物であり、袋体中に充填される廃棄物の組成を変えることによって、コンクリートの比重を調節することが可能である。
【００２２】
本発明の土木構造物の施工方法は、変形自在な袋体を使用することを特徴とする。本発明の袋体は、変形自在であり、すなわち、柔軟性を有する。また、本発明の袋体は、型枠自体のように硬すぎるものでもない。本発明において使用される変形自在な袋体としては、フレコンバッグが挙げられるがこれに限定されない。このフレコンバックの形状は、１ｍ×１ｍ×１ｍの立方体形状を始めとして、約０．０５ｍ３〜約２．０ｍ３の丸形、角形、ブロック形、平板形等の形状である（図６および７を参照のこと）。フレコンバックの容量としては、例えば、０．１ｍ３、０．５ｍ３、０．８ｍ３、１．５ｍ３、または２．０ｍ３が市販されているが、これらに限定されない。好ましい一辺の大きさとしては、約０．０５ｍ〜約２ｍである。本発明において使用される変形自在な袋体は、好ましくは、小さい孔を有する。必要に応じて水を添加した場合には、小さい孔から水硬性物質が浸み出し、袋体同士の接着性を高め、袋体間の空間を減少させることができる。本発明において使用される変形自在な袋体は、好ましくは、クレーンによって吊ることを可能にするように、上部にひもがついている（図２を参照のこと）。
【発明の効果】
【００２３】
本発明の施工方法により、廃棄物を骨材として利用し、土壌および空気中の水分、雨水、ならびに/または必要に応じて添加される水を利用して水硬性材料を硬化させることにより、廃棄物のあるところで土木構造物を効率よく施工することができる。
【発明を実施するための最良の形態】
【００２４】
本発明の土木構造物の施工方法は以下の通りである。
【００２５】
実施例１（セメント、廃棄物、および水の混合物を使用する場合）
最初に、セメント、廃棄物、および水の混合物（スラリー）をフレコンバック（図１）に充填した。次に、土木構造物を施工する現場に、互いに密接するように、並べて設置した。
【００２６】
フレコンバック中のセメント混合物が硬化した後、その上に、未硬化の状態のセメント、廃棄物、および水の混合物（スラリー）を充填した新たなフレコンバックを積み重ねた。
【００２７】
この工程を必要に応じて繰り返し、必要な高さまでフレコンバックを積み重ねた（図３〜５）。
【００２８】
実施例２（セメントおよび廃棄物の混合物を使用する場合）
最初に、未硬化の状態のセメント及び骨材としての廃棄物の混合物（ドライ）をフレコンバック（図１）に充填した。次に、混合物を充填したフレコンバックを、混合物が未硬化の状態で、土木構造物を施工する現場に、互いに密接するように、並べて設置した。
【００２９】
フレコンバック中のセメント混合物が硬化した後、その上に、未硬化の状態のセメントおよび廃棄物の混合物（ドライ）を充填したフレコンバックを、新たに積み重ねた。
【００３０】
この工程を必要に応じて繰り返し、必要な高さまでフレコンバックを積み重ねた（図３〜５）。
【図面の簡単な説明】
【００３１】
【図１】図１は、廃棄物、水硬性材料、および必要に応じて添加される水の混合物を充填するための、本発明の袋体の概略図である。
【図２】図２は、クレーンによって吊ることが可能な、本発明の袋体の概略図である。
【図３】図３は、本発明の土木構造物の一例を示す概略図である。
【図４】図４は、本発明の土木構造物の一例を示す概略図である。
【図５】図５は、本発明の土木構造物の一例を示す概略図である。
【図６】図６は、本発明の土木構造物の一例を示す概略図である。
【図７】図７は、本発明の土木構造物の一例を示す概略図である。
【図１】
2006283443.tif 000002
【図２】
2006283443.tif 000003
【図３】
2006283443.tif 000004
【図４】
2006283443.tif 000005
【図５】
2006283443.tif 000006
【図６】
2006283443.tif 000007
【図７】
2006283443.tif 000008